(57)【要約】【課題】パチンコ機の風車に対する釘調整を遊技者に認識させないように適切に行えるようにする。【解決手段】２本の振分釘３６；３７が風車２１の上部で左右に相対峙するよう設けられ、１本の振分釘３８が振分釘３６とサイド飾り２０との間に設けられ、サイド飾り２０の上面に沿って誘導通路５１から下方に弧状を描いて落下する落下速度の緩やかな球５９が振分釘３８の右側における外側面に接触し得る位置に、振分釘３８が設けられたことによって、２本の振分釘３６；３８を左側または右側に移動する量が少なくなるように釘調整することができ、遊技者が風車２１の周りを見た場合、釘調整された２本の振分釘３６；３８がどのように釘調整されたのかを、遊技者が容易に見分けることができなくなる。【選択図】図１
2006175086.tif 000002
【特許請求の範囲】
【請求項１】
ガイドレールで囲まれた内側の遊技領域に、センター飾り、サイド飾り、風車、風車に対する３本の振分釘を備えたパチンコ機の遊技盤において、センター飾りが遊技領域に取り付けられる前面部と前面部から前側に突出して遊技領域から乗った球を中央から左方向または右方向に誘導して下方に落下させる笠部とを備え、サイド飾りが遊技領域の左側部または右側部に設けられて遊技領域から前側に突出するとともにセンター飾りの笠部とガイドレールとの間における隙間の遊技領域を流下した球を遊技領域の中央の方向に誘導し、サイド飾りの上面とセンター飾りにおける笠部の左側部または右側部との間における遊技領域にセンター飾りの笠部とガイドレールとの間における隙間の遊技領域を流下した球を遊技領域の中央の方向に誘導する誘導通路が形成され、風車の遊技領域と平行に回転するように支持する風車軸がサイド飾りの上面に沿って誘導通路から下方に弧状を描いて落下する球の落下経路に配置され、風車に対する３本の振分釘が風車の上部で左右に相対峙する２本の振分釘と、左右に相対峙する２本の振分釘のうちのサイド飾りの側に配置された１本の振分釘とサイド飾りとの間に設けられた１本の振分釘とからなることを特徴とするパチンコ機の遊技盤。
【発明の詳細な説明】
【技術分野】
【０００１】
本発明は、パチンコ機の風車に対する釘調整を遊技者に認識させないように適切に行える遊技盤に関する。
【背景技術】
【０００２】
パチンコ機の遊技盤には、風車の上部に振分釘が左右に相対峙して設けられたものが知られている。しかしながら、振分釘が左右に相対峙した一対の構造であり、遊技店がその日の営業の形態から、一対の振分釘を釘調整した場合、遊技者が釘調整された振分釘の形態を遊技機枠の前側から見ることによって、遊技者が釘調整の結果を容易に把握することができるという欠点があった。
【非特許文献１】株式会社双葉社発行、パチンコ攻略マガジン、２００１  ２２号
【発明の開示】
【発明が解決しようとする課題】
【０００３】
発明が解決しようとする問題点は、風車に対する振分釘の釘調整が遊技者から容易に見分けられるという点である。
【課題を解決するための手段】
【０００４】
本発明に係るパチンコ機の遊技盤は、ガイドレールで囲まれた内側の遊技領域にセンター飾り、サイド飾り、風車、風車に対する３本の振分釘を備えたパチンコ機の遊技盤において、センター飾りが遊技領域に取り付けられる前面部と前面部から前側に突出して遊技領域から乗った球を中央から左方向または右方向に誘導して下方に落下させる笠部とを備え、サイド飾りが遊技領域の左側部または右側部に設けられて遊技領域から前側に突出するとともにセンター飾りの笠部とガイドレールとの間における隙間の遊技領域を流下した球を遊技領域の中央の方向に誘導し、サイド飾りの上面とセンター飾りにおける笠部の左側部または右側部との間における遊技領域にセンター飾りの笠部とガイドレールとの間における隙間の遊技領域を流下した球を遊技領域の中央の方向に誘導する誘導通路が形成され、風車の遊技領域と平行に回転するように支持する風車軸がサイド飾りの上面に沿って誘導通路から下方に弧状を描いて落下する球の落下経路に配置され、風車に対する３本の振分釘が風車の上部で左右に相対峙する２本の振分釘と、左右に相対峙する２本の振分釘のうちのサイド飾りの側に配置された１本の振分釘とサイド飾りとの間に設けられた１本の振分釘とからなることを最も主要な特徴とする。
【発明の効果】
【０００５】
本発明に係るパチンコ機の遊技盤は、２本の振分釘が風車の上部で左右に相対峙するよう設けられ、１本の振分釘が上記相対峙する振分釘のうちの１本とサイド飾りとの間に設けられ、サイド飾りの上面に沿って誘導通路から下方に弧状を描いて落下する落下速度の緩やかな球が上記相対峙する振分釘のうちの１本とサイド飾りとの間に設けられた１本振分釘の右側における外側面に接触し得る位置に、上記相対峙する振分釘のうちの１本とサイド飾りとの間に設けられた１本振分釘が設けられたことによって、風車の上部で左右に相対峙するように分けられて設けられた１本の振分釘とを左側または右側に移動する量が少なくなるように釘調整することができ、遊技者が風車の周りを見た場合、釘調整された２本の振分釘がどのように釘調整されたのかを、遊技者が容易に見分けることができなくなるという利点がある。
【発明を実施するための最良の形態】
【０００６】
図１乃至図５は、発明を実施するための最良の形態である。図１のａ図は、遊技盤１５における１つの風車２１に対する３本の振分釘３６；３７；３８の配置構成の正面を示す。図１のｂ図は、振分釘３６；３７；３８に相当する振分釘５５が遊技盤１５に打ち込まれた断面を示す。図２は、遊技盤１５における１つの風車２１に対する振分釘３８を右側に移動して釘調整された形態の正面を示す。図３は、遊技盤１５における１つの風車２１に対する振分釘３８を左側に移動して釘調整された形態の正面を示す。図４は、遊技盤１５の全体の正面を示す。図５は、パチンコ機の正面を示す。
【０００７】
図５を参照し、パチンコ機について説明する。パチンコ機の遊技機枠１は、固定枠２の前側に可動枠３を左側のヒンジ４で横方向に片開き可能に取り付け、可動枠３の前側に扉５および球皿構造体６を左側のヒンジ７で横方向に片開き可能に取り付け、閉じられた球皿構造体６で覆われる球発射機構８が可動枠３の前側に設けられる。固定枠２は、パチンコ店の島と呼ばれる図外の遊技機設置構造体に取り付けるための外枠と呼ばれる。可動枠３は、遊技盤１５を取り付ける前枠と呼ばれる。可動枠３は、施錠装置９を右側部に備える。扉５は、前後方向に貫通する窓１０と、窓１０を覆う裏側から覆う前面パネル１１とを備える。前面パネル１１は、光を透過する性質の有るガラスまたは合成樹脂などの材料からなる板状である。球皿構造体６は、球皿部１２および球発射操作機構１３を前面に備える。球皿部１２は、遊技に使用する球を受ける上方に開口した上方から下方に窪む容器である。球発射操作機構１３は、遊技者が球を発射するために操作するものである。そして、可動枠３が図外のロック機構で固定枠２に開閉不能に支持され、扉５および球皿構造体６が閉じられて図外のロック機構で可動枠３に開閉不能に支持された状態において、遊技店の店員が図外のキープレート（鍵）を遊技機枠１の前側から施錠装置９の鍵穴１４に挿入して当該キープレートを例えば左側に９０度回転操作すると、可動枠３と扉５とのロック機構による支持形態が解除される。その状態において、遊技盤１５の前面が前側に向けられ、遊技盤１５が可動枠３の前側から可動枠３の内部に装着される。そして、扉５が閉じられてロック機構で可動枠３に開閉不能に支持されることによって、遊技盤１５の前面が遊技機枠１の前側から前面パネル１１を通して見える形態となる。その後、店員がキープレートを施錠装置９の鍵穴１４から前側に抜き取る。
【０００８】
遊技盤１５は、方形な板状の前面における内ガイドレール１６と外ガイドレール１７とで囲まれた内側の遊技領域１８に、センター飾り１９、サイド飾り２０、風車２１、普通始動入賞部品２２、一般入賞部品２３、特別始動入賞部品２４、可変入賞部品２５、普通図柄表示器２６、特別図柄表示器２７、遊技釘２８、球戻り防止弁２９、球反発体３０、アウト口３１などの前部品を備えた構成である。内ガイドレール１６の左側部と外ガイドレール１７の左側部との間の隙間は、球発射通路３２である。普通始動入賞部品２２は、遊技領域１８から球が入賞すると、普通図柄表示器２６による普通図柄変動遊技を行わせる入賞部品であって、遊技領域１８から入った球を遊技盤１５の裏側に排出することなく遊技領域１８に排出する通過形であり、賞球として定められた個数の球を遊技者に払い出さない入賞部品である。一般入賞部品２３、特別始動入賞部品２４、可変入賞部品２５は、遊技領域１８から入った球を遊技盤１５の裏側に排出する取込形の入賞部品である。一般入賞部品２３は、遊技領域１８から球が入賞すると、賞球として定められた個数の球を遊技者に払い出す入賞部品である。
【０００９】
特別始動入賞部品２４は、遊技領域１８から球が入賞すると、特別図柄表示器２７による特別図柄変動遊技を行わせる入賞部品であって、賞球として定められた個数の球を遊技者に払い出す場合と払い出さない場合とのいずれかである。特別始動入賞部品２４は、普通図柄表示器２６による普通図柄変動遊技の結果として、普通図柄表示器２６が当たりを表示することによって、一対の羽根３３が左右に開閉する電動チューリップになっている。普通図柄表示器２６は、可変入賞部品２５における開閉体３４よりも左右側部の前面に設けられ、ＬＥＤからなる２個の表示灯を備え、例えば、普通図柄変動遊技の結果が当たりの場合は右側における１個の表示が緑色に点灯し、普通図柄変動遊技の結果が当たりの場合は左側における１個の表示が赤色に点灯することによって、遊技者に普通図柄変動遊技の結果の当たりと外れとを知らせる。
【００１０】
特別図柄表示器２７は、センター飾り１９における保護パネル３５の裏側に設けられ、電気的に表示形態の変えられる画像を表示画面に表示する、液晶表示器、ＣＲＴ表示器、プラズマディスプレイなどのような面状の画像表示器により構成される。可変入賞部品２５は、アタッカまたは大入賞口と呼ばれ、特別図柄変動遊技の結果として特別図柄表示器２７が当たり図柄を停止表示した場合、開閉体３４が所定回数または所定時間だけ開閉する大当たり遊技を行い、開閉体３４の開放中に、遊技領域１８から球が入賞すると、賞球として定められた個数の球を遊技者に払い出す入賞部品である。開閉体３４が閉じると、遊技領域１８から球が可変入賞部品２５に入賞しない。遊技釘２８は、センター飾り１９、サイド飾り２０、風車２１、普通始動入賞部品２２、一般入賞部品２３、特別始動入賞部品２４、可変入賞部品２５、普通図柄表示器２６、特別図柄表示器２７、球戻り防止弁２９、球反発体３０、アウト口３１などの部品から露出した遊技領域１８に、多数、点在配置されるように、遊技盤１５の遊技領域１８における前面から内部に打ち込まれて、遊技盤１５に設けられる。
【００１１】
そして、前述したように遊技盤１５が可動枠３に装着され、扉５が閉じられて可動枠３に開閉不能に支持された場合、内ガイドレール１６、外ガイドレール１７、遊技領域１８、センター飾り１９、サイド飾り２０、風車２１、普通始動入賞部品２２、一般入賞部品２３、特別始動入賞部品２４、可変入賞部品２５、普通図柄表示器２６、特別図柄表示器２７、遊技釘２８、球戻り防止弁２９、球反発体３０、アウト口３１、球発射通路３２が、遊技機枠１の前側から前面パネル１１を通して見える。その状態において、遊技者が球皿部１２に球を入れて球発射操作機構１３を操作すると、球発射機構８が球発射操作機構１３による操作量に応じた電気的な発射力と１分間を百未満の等間隔に分けた周期とによって球皿部１２から供給された球を１個ずつ遊技領域１８に向けて発射する。この球発射機構８から発射された球は、球発射通路３２から球戻り防止弁２９を押し開けて遊技領域１８に到達する。遊技領域１８に到達した球は、遊技領域１８を上部から下方に流下する過程において、センター飾り１９、サイド飾り２０、風車２１、普通始動入賞部品２２、一般入賞部品２３、特別始動入賞部品２４、可変入賞部品２５、遊技釘２８、球反発体３０などに衝突して流れる方向を変えながら、普通始動入賞部品２２、一般入賞部品２３、特別始動入賞部品２４、可変入賞部品２５などに入賞する。一般入賞部品２３、特別始動入賞部品２４、可変入賞部品２５のいずれにも入賞しないで遊技領域１８の下部に到達した球は、アウト口３１から遊技盤１５の裏側に排出される。
【００１２】
図４を参照し、遊技盤１５の設けられたセンター飾り１９、サイド飾り２０、風車２１、風車２１に対する３本の振分釘３６；３７；３８について説明する。センター飾り１９は、前面部４１、開口部４２、周壁４３、保護パネル３５、笠部４４、ステージ４５、球導入部４６を備えた構成である。前面部４１は、遊技盤１５の遊技領域１８である前面に取り付けられる板状である。開口部４２は、前面部４１の中央に前後方向への貫通孔として形成される。周壁４３は、前面部４１から裏側に突出して開口部４２を囲む筒状である。保護パネル３５は、周壁４３の裏側開口を塞ぐように周壁４３の裏面に設けられた、光を透過する物性の有る無色な合成樹脂からなる板状である。笠部４４は、前面部４１の上部において、前面部４１から前側に突出し、遊技領域１８から笠部４４の上に乗った球を中央から左右方向に誘導して下方に落下させる構成である。
【００１３】
ステージ４５は、周壁４３の下縁部に設けられ、遊技領域１８からステージ４５の上に乗った球を左右方向に踊らせる部分である。ステージ４５における球の乗る上面は、中央部が上方に弧状に突出し、左右部が下方に弧状に窪む、波形である。ステージ４５における中央部の上面には、球入口４７が、上下方向への貫通孔として設けられる。ステージ４５における中央部の前縁部から後側に窪んだ後に下方に延びる前面部４１には、球出口４８が、前後方向への貫通孔として設けられる。ステージ４５における中央部の内部には、球入口４７と球出口４８とにつながる内部通路４９が設けられる。これによって、ステージ４５の上面に乗った球が、球入口４７から内部通路４９を経由して球出口４８から下方の遊技領域１８に直線的に落下する。ステージ４５における左右部は、後側から前側に下がる斜面であって、ステージ４５の上面に乗った球が左右部から下方の遊技領域１８に直線的に落下する球落下部５０を構成する。球導入部４６は、笠部４４の左右側部とステージ４５の左右側部との間に設けられ、遊技領域１８からステージ４５の上に球を導入する部分である。
【００１４】
サイド飾り２０は、遊技領域１８の左右側部に設けられ、遊技領域１８から前側に突出し、センター飾り１９の笠部４４と内ガイドレール１６との間における隙間の遊技領域１８を流下した球を、遊技領域１８の中央の方向に誘導する構成である。つまり、サイド飾り２０の上面とセンター飾り１９における笠部４４の左右側部との間における遊技領域１８には、センター飾り１９の笠部４４と内ガイドレール１６との間における隙間の遊技領域１８を流下した球を、遊技領域１８の中央の方向に誘導する誘導通路５１が形成される構成である。風車２１は風車軸５２を中心として遊技領域１８と平行に回転する構造である。風車軸５２は、サイド飾り２０の上面に沿って誘導通路５１から下方に弧状を描いて落下する球の落下経路Ｘ１に配置される構成であり、遊技盤１５の前面から内部に打ち込まれた釘のような部材である。よって、サイド飾り２０の上面に沿って誘導通路５１から下方に弧状を描いて落下する球が風車２１の裏面に設けられた図外のリブのような突起に衝突することによって、風車２１が風車軸５２を中心として遊技領域１８と平行に左回転または右回転することによって、風車２１に衝突した球が風車２１の左側または右側に振り分けられる。風車２１に対する３本の振分釘３６；３７；３８は、風車２１の上部で左右に相対峙する２本の振分釘３６；３７と、振分釘３６とサイド飾り２０との間に設けられた１本の振分釘３８とからなる構成である。
【００１５】
図１を参照し、１つの風車２１に対する、３本の振分釘３６；３７；３８の配置構成について、遊技盤１５を前側から見て、左側における風車２１、サイド飾り２０、３本の振分釘３６；３７；３８を例として、詳述する。図１のｂ図を参照し、図１のａ図に示す振分釘３６；３７；３８に相当する振分釘５５の構造について説明する。振分釘５５は図５の遊技釘２８と同じ構造である。図１のｂ図において、振分釘５５は、直線的な丸棒状の胴体５６の上端に、胴体５６よりも直径の大きな頭５７を有し、胴体５６の下端部が遊技盤１５の遊技領域１８における前面から内部に打ち込まれており、遊技領域１８を流下する球５９が振分釘５５の胴体５６の外側面に衝突し、遊技領域１８を流下する球５９が振分釘５５の頭５７には衝突しないように、振分釘５５が遊技盤１５に設けられる。そして、図１のａ図における振分釘３６；３７；３８は、図１のｂ図における頭５７の図示を省略し、図１のｂ図における振分釘５５の胴体５６を図示した。図１のｂ図における直線Ｐは、振分釘５５の中心を示す。
【００１６】
図１のａ図において、風車２１の上部の左側に配置された１本の振分釘３６の中心と風車軸５２の中心との間の寸法をＬ１とし、風車２１の上部の右側に配置された１本の振分釘３７の中心と風車軸５２の中心との間の寸法をＬ２とし、振分釘３６の中心と振分釘３７の中心との間の寸法をＬ３とし、振分釘３６の中心とサイド飾り２０の側に設けられた１本の振分釘３８の中心との間の寸法をＬ４とし、振分釘３８の中心とサイド飾り２０における球の落下点５８との間の寸法をＬ５とし、サイド飾り２０の上面に沿って誘導通路５１から下方に弧状を描いて落下する球５９の落下経路をＸ１とし、風車軸５２の中心を通る垂線をＸ２とし、振分釘３６の中心を通る垂線をＸ３とする。寸法Ｌ１は、２個の球が上下に縦列状態で通過できる寸法であって、例えば、１個の球の直径の２．４倍というように、１個の球の直径の２倍から３倍までの範囲の寸法である。寸法Ｌ１と寸法Ｌ２との比は、１：１．０６に設定されている。寸法Ｌ３は、仮想線で示す１個の球５９が振分釘３６と振分釘３７との間を通過するが、２個の球５９が並列に通過できない寸法であって、例えば、寸法Ｌ３から１本の振分釘３６の直径を引き算した寸法が、１個の球５９の直径より０．５ｍｍ大きいというように、１個の球５９の直径よりわずかに大きな寸法であって、サイド飾り２０の上面に沿って誘導通路５１から下方に弧状を描いて落下する球５９の落下経路Ｘ１を中心として、左右に２等分に振り分けられている。寸法Ｌ４は、１個の球５９が振分釘３６と振分釘３８との間を通過するが、２個の球５９が並列に通過できない寸法であって、例えば、寸法Ｌ４から１本の振分釘３６の直径を引き算した寸法が、１個の球５９の直径より０．５ｍｍ大きいというように、１個の球の直径よりわずかに大きな寸法である。振分釘３８の中心は、垂線Ｘ３よりも左側に配置されているが、サイド飾り２０の上面に沿って誘導通路５１から下方に弧状を描いて落下する球５９の落下速度が落下経路Ｘ１よりも左側を通るように緩やかな場合には、当該落下速度の緩やかな球５９が振分釘３８の右側における外側面に接触し得る位置に設けられる。寸法Ｌ５は、球５９が通過できないように、１個の球５９の直径よりも小さい寸法である。上記寸法Ｌ１と寸法Ｌ２との割合によって、振分釘３６および振分釘３７は、風車２１の風車軸５２から上方に等距離ではなく、振分釘３７の方が振分釘３６よりも上方に配置される。
【００１７】
図１のａ図に示すように風車２１に対し３本の振分釘３６；３７；３８の設けられた遊技盤１５を、図５の遊技機枠１に装着し、図５の球発射操作機構１３を操作し、球を遊技領域１８に発射した、実射実験を行ったところ、図１のａ図のサイド飾り２０の上面に沿って誘導通路５１から下方に弧状を描いて落下する球５９が振分釘３６；３７の間を通過するａ方向に流れる割合が９割であり、サイド飾り２０の上面に沿って誘導通路５１から下方に弧状を描いて落下する球が振分釘３６；３８の間を通過するｂ方向に流れる割合が１割であった。そして、ａ方向に流れた球５９は、風車２１に衝突して風車２１を右回転または左回転する。この風車２１を右回転した球５９は、風車２１の右側に配置された斜めの球通路を形成する多数の遊技釘からなる連釘２８ａに沿って流れる。連釘２８ａに沿って流れ球は、図４の特別始動入賞部品２４の羽根３３の真上に向かって流れ、羽根３３が図４に示すように閉じている場合には特別始動入賞部品２４に入賞する可能性があり、羽根３３が左右に開いている場合には特別始動入賞部品２４に入賞する。
【００１８】
また、振分釘３６の左側の真下に配置された遊技釘２８ｂと振分釘３６との間、振分釘３６の左側の真下に配置された遊技釘２８ｂのさらに左側真下に配置された遊技釘２８ｃと遊技釘２８ｂとの間、遊技釘２８ｂと風車２１の風車軸５２との間、遊技釘２８ｃと風車２１の風車軸５２との間のそれぞれも、１個の球５９が通過可能な寸法になっている。そして、ｂ方向に流れた球５９は、遊技釘２８ｂと振分釘３６との間を通過して風車２１を左回転させて風車２１の真下に配置された斜めの球通路を形成する多数の遊技釘からなる連釘２８ｄに沿って下方に流れるか、または、遊技釘２８ｂと遊技釘２８ｃとの間を通過して風車２１を左回転させて連釘２８ｄに沿って下方に流れるか、または、遊技釘２８ｂの左側に衝突して遊技釘２８ｂと遊技釘２８ｃとの間を通過することなく下方に流れて連釘２８ｄに沿って下方に流れる。連釘２８ｄに沿って下方に流れた球５９は、図４の特別始動入賞部品２４の羽根３３の下部に向かって流れ、羽根３３が図４に示すように閉じている場合には特別始動入賞部品２４に入賞しないが、羽根３３が左右に開いている場合には特別始動入賞部品２４に入賞する。
【００１９】
図２を参照し、上記実射実験において、振分釘３６；３７を釘調整せず、振分釘３８を右側に釘調整した場合について説明する。図２は、振分釘３８の上部を、仮想線で示す位置から実線で示す位置へと矢印Ｙ１で示す右側に移動するように、人がハンマーのような調整工具で振分釘３８の上部を左側から右側に叩いて釘調整した場合である。図２における振分釘３８を仮想線で示す位置は、振分釘３８が図１のａ図に示す位置に設けられた形態を示す。つまり、図２は、図１のａ図に示す振分釘３８の上部が右側に移動するように、振分釘３８が右側に釘調整された場合を、実線で示す。振分釘３８が、図２の仮想線で示す位置から実線で示す位置へと右側に移動するように釘調整された状態における実射実験では、サイド飾り２０の上面に沿って誘導通路５１から下方に弧状を描いて落下する球５９が振分釘３６；３７の間を通過するａ方向に流れる割合が９割５分であり、サイド飾り２０の上面に沿って誘導通路５１から下方に弧状を描いて落下する球５９が振分釘３６；３８の間を通過するｂ方向に流れる割合が５分であった。
【００２０】
よって、振分釘３８が右側に釘調整された場合、サイド飾り２０の上面に沿って誘導通路５１から下方に弧状を描いて落下する球５９が振分釘３６；３７の間を通過するａ方向に流れやくなり、サイド飾り２０の上面に沿って誘導通路５１から下方に弧状を描いて落下する球５９が振分釘３６；３８の間を通過するｂ方向に流れにくくなった。この結果、図２に示す遊技盤１５の方が、図１のａ図に示す遊技盤１５よりも、図４に示す遊技盤１５における特別始動入賞部品２４の方に流れやすくなり、特別始動入賞部品２４の入賞率が向上するという利点がある。
【００２１】
図３を参照し、上記実射実験において、振分釘３６；３７を釘調整せず、振分釘３８を左側に釘調整した場合について説明する。図３は、振分釘３８の上部を、仮想線で示す位置から実線で示す位置へと矢印Ｙ２で示す左側に移動するように、人がハンマーのような調整工具で振分釘３８の上部を右側から左側に叩いて釘調整した場合である。図３における振分釘３８を仮想線で示す位置は、振分釘３８が図１のａ図に示す位置に設けられた形態を示す。つまり、図３は、図１のａ図に示す振分釘３８の上部が左側に移動するように、振分釘３８が左側に釘調整された場合を、実線で示す。振分釘３８が、図３の仮想線で示す位置から実線で示す位置へと左側に移動するように釘調整された状態における実射実験では、サイド飾り２０の上面に沿って誘導通路５１から下方に弧状を描いて落下する球５９が振分釘３６；３７の間を通過するａ方向に流れる割合が８割であり、サイド飾り２０の上面に沿って誘導通路５１から下方に弧状を描いて落下する球５９が振分釘３６；３８の間を通過するｂ方向に流れる割合が２割であった。
【００２２】
よって、振分釘３８が左側に釘調整された場合、サイド飾り２０の上面に沿って誘導通路５１から下方に弧状を描いて落下する球５９が振分釘３６；３７の間を通過するａ方向に流れにくくなり、サイド飾り２０の上面に沿って誘導通路５１から下方に弧状を描いて落下する球５９が振分釘３６；３８の間を通過するｂ方向に流れやすくなった。この結果、図３に示す遊技盤１５の方が、図１のａ図に示す遊技盤１５よりも、図４に示す遊技盤１５における特別始動入賞部品２４の方に流れにくくなり、特別始動入賞部品２４の入賞率が低下するという利点がある。
【００２３】
最良の形態によれば、３本の振分釘３６；３７；３８が１つの風車２１に対して設けられ、２本の振分釘３６；３７が１つの風車２１の上部で左右に相対峙するように分けられて設けられ、１本の振分釘３８がサイド飾り２０の側に配置された１本の振分釘３６とサイド飾り２０との間に設けられ、サイド飾り２０の上面に沿って誘導通路５１から下方に弧状を描いて落下する球５９の落下速度が落下経路Ｘ１よりも左側を通るように緩やかな場合には、当該落下速度の緩やかな球５９が振分釘３８の右側における外側面に接触し得る位置に、１本の振分釘３８が設けられているので、風車２１に絡んだ球５９が風車２１よりも中央の側の下部に設けられた特別始動入賞部品２４に入賞する入賞率を容易にかつ適切に釘調整することができる。
【００２４】
その理由は、振分釘３８が設けられることなく、２本の振分釘３６；３７が１つの風車２１の上部で左右に相対峙するように分けられて設けられただけの場合、図１のａ図に示すサイド飾り２０の上面に沿って誘導通路５１から下方に弧状を描いて落下する球５９がａ方向に流れる割合とｂ方向に流れる割合とを変えるためには、１本の振分釘３６を左側または右側に釘調整しなければならない。このように１本の振分釘３６を釘調整した場合、振分釘３６の左側または右側への移動量が多くなる。このように振分釘３６の左側または右側への移動量が多くなると、遊技者が図５に示す遊技機枠１の前側から前面パネル１１を通して風車２１の周りを見た場合、振分釘３６がどのように釘調整されたかを遊技者が容易に見分けることができる。
【００２５】
これに対し、図１のａ図に示すように、３本の振分釘３６；３７；３８が１つの風車２１に対して設けられ、２本の振分釘３６；３７が１つの風車２１の上部で左右に相対峙するように分けられて設けられ、１本の振分釘３８がサイド飾り２０の側に配置された１本の振分釘３６とサイド飾り２０との間に設けられ、サイド飾り２０の上面に沿って誘導通路５１から下方に弧状を描いて落下する球５９の落下速度が落下経路Ｘ１よりも左側を通るように緩やかな場合には、当該落下速度の緩やかな球５９が振分釘３８の右側における外側面に接触し得る位置に、１本の振分釘３８が設けられていれば、２本の振分釘３６；３８を左側または右側に釘調整することができ、２本の振分釘３６；３８における個々の左側または右側への移動量が少なくなる。このように２本の振分釘３６；３８における個々の左側または右側への移動量が少なくなると、遊技者が図５に示す遊技機枠１の前側から前面パネル１１を通して風車２１の周りを見た場合、２本の振分釘３６；３８がどのように釘調整されたかを遊技者が容易に見分けることができなくなるからである。
【図面の簡単な説明】
【００２６】
【図１】ａ図は遊技盤における１つの風車に対する３本の振分釘の配置構成を示す正面図、ｂ図は３本の振分釘に相当する１本の振分釘が遊技盤に打ち込まれた形態を示す断面図（最良の形態）。
【図２】遊技盤における１つの風車に対する１本の振分釘を右側に移動して釘調整された形態を示す正面図（最良の形態）。
【図３】遊技盤における１つの風車に対する１本の振分釘を左側に移動して釘調整された形態を示す正面図（最良の形態）。
【図４】遊技盤の全体を示す正面図（最良の形態）。
【図５】パチンコ機を示す正面図（最良の形態）。
【符号の説明】
【００２７】
１５  遊技盤
１８  遊技領域
１９  センター飾り
２０  サイド飾り
２１  風車
３６  振分釘
３７  振分釘
３８  振分釘
４１  前面部
４４  笠部
５１  誘導通路
５２  風車軸
Ｘ１  落下経路
【図１】
2006175086.tif 000003
【図２】
2006175086.tif 000004
【図３】
2006175086.tif 000005
【図４】
2006175086.tif 000006
【図５】
2006175086.tif 000007